(57)【要約】【課題】映像信号の情報量の減少を抑制することができる投写型映像表示装置を提供する。【解決手段】投写型映像表示装置である液晶プロジェクタ１０は、映像信号が伝送される信号回路１と、映像信号が示す映像を投写して映像を表示するための投写部２と、信号回路１に接続されるとともに映像の台形歪みを補正する処理を映像信号に対して行う台形歪み補正部２２とを備えている。そして映像信号が伝送される信号回路１には、映像信号が台形歪み補正部２２を迂回するためのバイパス回路３１が設けられている。【選択図】図１
2010050838.tif 000002
【特許請求の範囲】
【請求項１】
映像信号が伝送される信号回路と、前記映像信号が示す映像を投写して表示するための投写部と、前記信号回路に接続されるとともに前記映像の台形歪みを補正する処理を前記映像信号に対して行う台形歪み補正部とを備える投写型映像表示装置であって、
前記信号回路には、前記映像信号が前記台形歪み補正部を迂回するためのバイパス回路が設けられている
ことを特徴とする投写型映像表示装置。
【請求項２】
請求項１に記載の投写型映像表示装置において、
前記映像の台形歪みを補正する処理を前記映像信号に対して行う必要があるか否かを判断するとともに、その判断結果に基づいて、前記信号回路における前記映像信号の経路として、前記台形歪み補正部を経由する経路または前記バイパス回路を経由する経路を選択する制御部を備える
ことを特徴とする投写型映像表示装置。
【請求項３】
請求項２に記載の投写型映像表示装置において、
前記映像を投写する方向が水平方向に対して傾いていることを検知する傾き検知部を備え、
前記制御部は、前記映像を投写する方向が水平方向に対して傾いていることを前記傾き検知部が検知していないことに基づいて、前記映像の台形歪みを補正する処理を前記映像信号に対して行う必要がないと判断し、前記信号回路における前記映像信号の経路として前記バイパス回路を経由する経路を選択する
ことを特徴とする投写型映像表示装置。
【請求項４】
請求項２または請求項３に記載の投写型映像表示装置において、
前記映像の台形歪みを補正する処理を前記映像信号に対して行うことを目的として使用者により操作される操作部を備え、
前記制御部は、前記操作部が操作されていないことに基づいて、前記映像の台形歪みを補正する処理を前記映像信号に対して行う必要がないと判断し、前記信号回路における前記映像信号の経路として前記バイパス回路を経由する経路を選択する
ことを特徴とする投写型映像表示装置。
【請求項５】
請求項２〜請求項４のいずれか一項に記載の投写型映像表示装置において、
前記信号回路における前記台形歪み補正部の前段には、前記映像信号の経路を切り替えるための切替器が設けられ、
前記制御部は、前記切替器の制御を通じて、前記信号回路における前記映像信号の経路として、前記台形歪み補正部を経由する経路または前記バイパス回路を経由する経路を選択する
ことを特徴とする投写型映像表示装置。
【請求項６】
請求項２〜請求項５のいずれか一項に記載の投写型映像表示装置において、
前記信号回路における前記台形歪み補正部の後段には、前記映像信号の経路を切り替えるための他の切替器が設けられ、
前記制御部は、前記他の切替器の制御を通じて、前記信号回路における前記映像信号の経路として、前記台形歪み補正部を経由する経路または前記バイパス回路を経由する経路を選択する
ことを特徴とする投写型映像表示装置。
【発明の詳細な説明】
【技術分野】
【０００１】
本発明は、映像信号が伝送される信号回路と、映像信号が示す映像を投写して表示するための投写部と、信号回路に接続されるとともに映像の台形歪みを補正する処理を映像信号に対して行う台形歪み補正部とを備える投写型映像表示装置に関する。
【背景技術】
【０００２】
上記投写型映像表示装置としては、例えば、映像を生成するために液晶パネルを用いる液晶プロジェクタが知られている。液晶プロジェクタは、外部機器（例えば、パソコンやＤＶＤプレーヤー）から入力された映像信号に対して所定の信号処理を施すとともに、信号処理が施された映像信号を、液晶パネルを駆動するための液晶ドライバに出力する。そして、映像信号に基づいて液晶ドライバが液晶パネルの各表示セグメントに適切な駆動電圧を与えることにより液晶パネルを駆動させて画像を形成する。この画像が形成された液晶パネルに光源から出射された光を透過させることによって映像を生成し、投写レンズを用いてスクリーンに映像を投写して表示する構成となっている。
【０００３】
また液晶プロジェクタは一般的に、長方形で表示されるべき映像が台形で表示されないために、投写される映像の台形歪みを補正する処理を映像信号に対して行う集積回路（ＩＣ）からなる台形歪み補正部を備えている。このような台形歪み補正部を備えることで、スクリーンの投写面と映像を投写する方向とが直交しない場合にも、映像に台形歪みが発生しないようにすることができる（例えば、特許文献１参照）。
【特許文献１】特開２００６−１４２３３号公報
【発明の開示】
【発明が解決しようとする課題】
【０００４】
ところで、映像信号が伝送される信号回路においては、台形歪みを補正する処理以外のその他の信号処理を映像信号に対して行う集積回路からなる映像信号処理部が台形歪み補正部の前段に接続されている。液晶プロジェクタの製造コスト低減を図る場合や、処理能力の高い台形歪み補正処理を行う集積回路が存在しない場合には、処理能力が低いもの、即ち映像信号処理部が行うその他の信号処理のビット深度よりも小さいビット深度で台形歪みを補正する処理を行う台形歪み補正部を用いる。
【０００５】
しかしながら、例えば、台形歪みを補正する処理のビット深度が８ビットであって、その他の信号処理のビット深度が１０ビットである場合は、映像信号の情報量が２ビット減少するという問題があった。即ち、台形歪み補正部が行う信号処理のビット深度が、映像信号処理部が行うその他の信号処理のビット深度よりも小さい場合には、映像信号が台形歪み補正部を経由することに起因して映像信号の情報量が減少するという問題があった。
【０００６】
本発明は、こうした実情に鑑みてなされたものであり、その目的は、映像信号の情報量の減少を抑制することができる投写型映像表示装置を提供することにある。
【課題を解決するための手段】
【０００７】
請求項１に記載の発明は、映像信号が伝送される信号回路と、前記映像信号が示す映像を投写して表示するための投写部と、前記信号回路に接続されるとともに前記映像の台形歪みを補正する処理を前記映像信号に対して行う台形歪み補正部とを備える投写型映像表示装置であって、前記信号回路には、前記映像信号が前記台形歪み補正部を迂回するためのバイパス回路が設けられていることを要旨とする。
【０００８】
この発明によれば、信号回路における映像信号の経路として、台形歪み補正部を経由する経路と、映像信号が台形歪み補正部を迂回してバイパス回路を経由する経路とを選択することができる。従って、映像信号がバイパス回路を経由して伝送されることにより、映像信号が台形歪み補正部を経由することに起因する映像信号の情報量の減少を抑制することができる。
【０００９】
請求項２に記載の発明は、請求項１に記載の投写型映像表示装置において、前記映像の台形歪みを補正する処理を前記映像信号に対して行う必要があるか否かを判断するとともに、その判断結果に基づいて、前記信号回路における前記映像信号の経路として、前記台形歪み補正部を経由する経路または前記バイパス回路を経由する経路を選択する制御部を備えることを要旨とする。
【００１０】
この発明によれば、映像の台形歪みを補正する処理を行う必要がある場合には、映像信号の経路として台形歪み補正部を経由する経路を選択することにより、映像信号に対して映像の台形歪みを補正する処理を施すことができる。一方、映像の台形歪みを補正する処理を行う必要がない場合には、映像信号の経路として台形歪み補正部を迂回してバイパス回路を経由する経路を選択することにより、映像信号の情報量の減少を抑制することができる。
【００１１】
請求項３に記載の発明は、請求項２に記載の投写型映像表示装置において、前記映像を投写する方向が水平方向に対して傾いていることを検知する傾き検知部を備え、前記制御部は、前記映像を投写する方向が水平方向に対して傾いていることを前記傾き検知部が検知していないことに基づいて、前記映像の台形歪みを補正する処理を前記映像信号に対して行う必要がないと判断し、前記信号回路における前記映像信号の経路として前記バイパス回路を経由する経路を選択することを要旨とする。
【００１２】
この発明によれば、制御部は、傾き検知部の検知結果に基づいて映像の台形歪みを補正する処理を映像信号に対して行う必要があるか否かを判断することができるため、傾き検知部の検知結果に応じて映像信号の経路を選択することができる。
【００１３】
請求項４に記載の発明は、請求項２または請求項３に記載の投写型映像表示装置において、前記映像の台形歪みを補正する処理を前記映像信号に対して行うことを目的として使用者により操作される操作部を備え、前記制御部は、前記操作部が操作されていないことに基づいて、前記映像の台形歪みを補正する処理を前記映像信号に対して行う必要がないと判断し、前記信号回路における前記映像信号の経路として前記バイパス回路を経由する経路を選択することを要旨とする。
【００１４】
この発明によれば、制御部は、使用者による操作部の操作に基づいて映像の台形歪みを補正する処理を映像信号に対して行う必要があるか否かを判断することができるため、操作部の操作に応じて映像信号の経路を選択することができる。
【００１５】
請求項５に記載の発明は、請求項２〜請求項４のいずれか一項に記載の投写型映像表示装置において、前記信号回路における前記台形歪み補正部の前段には、前記映像信号の経路を切り替えるための切替器が設けられ、前記制御部は、前記切替器の制御を通じて、前記信号回路における前記映像信号の経路として、前記台形歪み補正部を経由する経路または前記バイパス回路を経由する経路を選択することを要旨とする。
【００１６】
この発明によれば、台形歪み補正部の前段には信号回路における映像信号の経路を選択するための切替器が設けられているため、台形歪み補正部の前段において、台形歪み補正部を経由する場合とバイパス回路を経由する場合の映像信号の経路の一部を共通化することができる。
【００１７】
請求項６に記載の発明は、請求項２〜請求項５のいずれか一項に記載の投写型映像表示装置において、前記信号回路における前記台形歪み補正部の後段には、前記映像信号の経路を切り替えるための他の切替器が設けられ、前記制御部は、前記他の切替器の制御を通じて、前記信号回路における前記映像信号の経路として、前記台形歪み補正部を経由する経路または前記バイパス回路を経由する経路を選択することを要旨とする。
【００１８】
この発明によれば、台形歪み補正部の後段には信号回路における映像信号の経路を選択するための他の切替器が設けられているため、台形歪み補正部の後段において、台形歪み補正部を経由する場合とバイパス回路を経由する場合の映像信号の経路の一部を共通化することができる。
【発明の効果】
【００１９】
本発明によれば、映像信号が台形歪み補正部を経由することに起因する映像信号の情報量の減少を抑制することができる。
【発明を実施するための最良の形態】
【００２０】
（第１の実施形態）
図１〜図３を参照して、本発明の投写型映像表示装置を液晶プロジェクタとして具体化した第１の実施形態について説明する。なお図１は、液晶プロジェクタの概略構成をブロック図として示したものである。
【００２１】
図１に示されるように、液晶プロジェクタ１０は、外部機器から映像信号を入力するための入力端子１１と、映像信号に対して信号処理を施すための映像処理ユニット２０と、信号処理が施された映像信号が入力される液晶ドライバ１２とを備えている。
【００２２】
また液晶プロジェクタ１０は、光を出射する光源１３と、液晶ドライバ１２により駆動される液晶パネル１４と、投写レンズ１５とを光学部品として備えており、これら光源１３、液晶パネル１４、及び投写レンズ１５は映像信号が示す映像をスクリーン５０に投写して表示するための投写部２を構成している。
【００２３】
さらに液晶プロジェクタ１０は、映像処理ユニット２０等を制御するために、液晶プロジェクタ１０の使用者により操作される操作部１６と、液晶プロジェクタ１０の傾きを検知する傾き検知部１７と、プログラムが記憶された記憶部１８と、プログラムに基づいて各部を制御する制御部１９とを備えている。以下、液晶プロジェクタ１０の構成要素について具体的に説明する。
【００２４】
映像処理ユニット２０は、第１の映像信号処理部２１と、台形歪み補正部２２と、第２の映像信号処理部２３とにより構成されており、入力された映像信号に対して信号処理を施すための装置である。映像処理ユニット２０を構成する各部２１〜２３は、それぞれ個々の集積回路（ＩＣ）からなるとともに、入力端子１１と第１の映像信号処理部２１、第１の映像信号処理部２１と台形歪み補正部２２、台形歪み補正部２２と第２の映像信号処理部２３、及び第２の映像信号処理部２３と液晶ドライバ１２は、導体配線により電気的に接続されている。このように各部を電気的に接続する導体配線と映像処理ユニット２０を構成する各部２１〜２３は、映像信号が伝送される信号回路１を構成している。
【００２５】
第１の映像信号処理部２１は、台形歪み補正部２２の前段に接続された映像信号処理回路であって、入力端子１１を介して外部機器から入力された映像信号に対して所定の信号処理を行う。例えば、第１の映像信号処理部２１は、映像信号として入力されたアナログ信号をデジタル信号に変換するＡ／Ｄ変換処理や、映像を構成する画素数を変更するスケーリング処理や、映像の明るさを調整する処理や、映像のコントラストを調整する処理等の信号処理を映像信号に対して行う。
【００２６】
台形歪み補正部２２は、投写して表示される映像に台形歪みが発生する場合に、映像の台形歪みを補正する信号処理（以下、「台形歪み補正処理」という。）を映像信号に対して行う映像信号処理回路である。台形歪み補正処理の補正量は、制御部１９により出力された制御信号に応じて台形歪み補正部２２により調整され、制御部１９から出力された制御信号が台形歪み補正部２２に入力されることにより、台形歪み補正部２２は台形歪み補正部２２に映像信号が入力されたときに台形歪み補正処理が可能な状態となる。本実施形態においては、台形歪み補正部２２によって信号処理、即ち台形歪み補正処理が施された映像信号は第２の映像信号処理部２３に入力される。なお、台形歪み補正部２２が行う信号処理のビット深度は、映像信号処理部２１，２３が行う信号処理のビット深度よりも小さく、例えば、台形歪み補正処理のビット深度が８ビットであって、その他の信号処理のビット深度が１０ビットである。
【００２７】
第２の映像信号処理部２３は、台形歪み補正部２２の後段に接続された映像信号処理回路であって、例えば、液晶パネル１４のＶ−Ｔ特性を考慮したガンマ補正処理や、映像のシャープネスを調整する処理等の信号処理を映像信号に対して行う。映像処理ユニット２０によって信号処理が施された映像信号、即ち本実施形態においては第２の映像信号処理部２３によって信号処理が施された映像信号は液晶ドライバ１２に入力される。
【００２８】
液晶ドライバ１２は、映像処理ユニット２０により信号処理が施された映像信号に基づいて液晶パネル１４を駆動するための回路である。液晶ドライバ１２により、映像信号に応じた液晶パネル１４を駆動させるための駆動電圧が、液晶パネル１４に設けられた映像を構成する画素に対応した電極に供給される。
【００２９】
液晶パネル１４は、画素がマトリクス状に配置されたマトリクス駆動方式のライトバルブであって、駆動電圧が供給されることにより電極間の液晶の配向が変化して、液晶パネル１４に画像が形成される。そして、画像が形成された液晶パネル１４を光源１３から出射された光が透過することによって映像が生成され、投写レンズ１５によりスクリーン５０に映像が投写されて表示される。なお、液晶プロジェクタ１０は、いわゆる３板方式のものであれば３枚の液晶パネル１４を備えており、光源１３から出射された光はダイクロイックミラーにより赤、緑、及び青の各色の光に分解されて各色に対応する液晶パネル１４を透過し、３枚の液晶パネル１４を透過した光はダイクロイックプリズムにより合成される。
【００３０】
操作部１６は、台形歪み補正処理を映像信号に対して行うために液晶プロジェクタ１０の使用者により操作されるボタン等である。操作部１６が操作される、即ち台形歪み補正を行うためにボタンが押下されると、台形歪み補正を行うための信号が操作部１６から制御部１９に入力される。操作部１６が操作されていない場合は、台形歪み補正を行うための信号は操作部１６から制御部１９に入力されない。
【００３１】
傾き検知部１７は、液晶プロジェクタ１０の傾き、即ち重力の方向である鉛直方向と映像が投写される方向とがなす角度を検知する加速度センサである。傾き検知部１７によって検知された鉛直方向と映像が投写される方向の角度が９０度でなければ、即ち映像を投写する方向が鉛直方向に直交する方向である水平方向に対して傾いていることを傾き検知部１７が検知した場合は、台形歪み補正を行うための信号が傾き検知部１７から制御部１９に入力される。映像を投写する方向が水平方向に対して傾いていることを傾き検知部１７が検知していない場合は、台形歪み補正を行うための信号は傾き検知部１７から制御部１９に入力されない。
【００３２】
制御部１９は、フラッシュメモリ等の書き込み及び消去可能なメモリである記憶部１８に記憶されたプログラムに基づいて動作するＣＰＵやマイコンであって、映像処理ユニット２０における信号処理を制御するために、映像処理ユニット２０を構成する各部２１〜２３に制御信号を出力する。
【００３３】
ここで、本実施形態においては、映像信号が伝送される信号回路１に、映像信号が台形歪み補正部２２を迂回するためのバイパス回路３１が設けられていることに特徴がある。バイパス回路３１は、信号回路１に接続された台形歪み補正部２２を介さずに第１の映像信号処理部２１と第２の映像信号処理部２３とを電気的に接続する導体配線により構成される回路であって、映像信号はバイパス回路３１を経由することにより、第１の映像信号処理部２１から第２の映像信号処理部２３に直接入力される。
【００３４】
図２を参照しながら、液晶プロジェクタ１０の電源が投入された後、即ちその使用時において映像信号の経路の選択に係る液晶プロジェクタ１０の動作について説明する。
まず、操作部１６及び傾き検知部１７の少なくとも一方から台形歪み補正を行うための信号が制御部１９に入力されたか否かを判断する（ステップＳ１１）。ステップＳ１１の判断は、制御部１９が、操作部１６及び傾き検知部１７の少なくとも一方から入力される上記信号の検出に基づいて判断することができる。即ち制御部１９は、台形歪み補正を行うための信号を検出した場合に、同信号が制御部１９に入力されたと判断し、台形歪み補正を行うための信号を検出しなかった場合に、同信号が制御部１９に入力されなかったと判断する。このようにして、ステップＳ１１において制御部１９は、台形歪み補正処理を映像信号に対して行う必要があるか否かを判断している。
【００３５】
制御部１９は、ステップＳ１１において台形歪み補正を行うための信号が入力されたと判断した場合、台形歪み補正を行わせるための制御信号を台形歪み補正部２２に出力し（ステップＳ１２）、さらに映像信号を台形歪み補正部２２に出力させるための制御信号を第１の映像信号処理部２１に出力する（ステップＳ１３）。従ってこの場合、第１の映像信号処理部２１は、映像信号を台形歪み補正部２２に出力させるための制御信号に応じて、第１の映像信号処理部２１と台形歪み補正部２２を接続する導体配線を介して映像信号を台形歪み補正部２２に出力する。このようにして、第１の映像信号処理部２１によって信号処理が施された映像信号は台形歪み補正部２２に入力され、映像信号は図３（ａ）に示す経路で液晶ドライバ１２に入力される。即ち、ステップＳ１２，Ｓ１３は、制御部１９が台形歪み補正処理を映像信号に対して行う必要があると判断した場合の液晶プロジェクタ１０の動作であって、この場合、制御部１９は信号回路１における映像信号の経路として台形歪み補正部２２を経由する経路を選択する。
【００３６】
一方、制御部１９は、ステップＳ１１において台形歪み補正を行うための信号が入力されなかったと判断した場合、映像信号を台形歪み補正部２２に出力させないための制御信号を第１の映像信号処理部２１に出力する（ステップＳ１４）。従ってこの場合、第１の映像信号処理部２１は、映像信号を台形歪み補正部２２に出力させないための制御信号に応じて、バイパス回路３１を介して映像信号を第２の映像信号処理部２３に出力する。このようにして、第１の映像信号処理部２１によって信号処理が施された映像信号は台形歪み補正部２２を介さずに第２の映像信号処理部２３に入力され、映像信号は図３（ｂ）に示す経路で液晶ドライバ１２に入力される。即ち、ステップＳ１４は、制御部１９が映像の台形歪みを補正する処理を映像信号に対して行う必要がないと判断した場合の液晶プロジェクタ１０の動作であって、この場合、制御部１９は信号回路１における映像信号の経路としてバイパス回路３１を経由する経路を選択する。
【００３７】
このようにして、制御部１９は、ステップＳ１１における判断結果に基づいて、映像信号が伝送される信号回路１における映像信号の経路として、台形歪み補正部２２を経由する経路またはバイパス回路３１を経由する経路を選択している。
【００３８】
本実施形態の液晶プロジェクタ１０によれば、以下の効果を奏することができる。
（１）信号回路１には、映像信号が台形歪み補正部２２を迂回するためのバイパス回路３１が設けられている。このため、信号回路１における映像信号の経路として、台形歪み補正部２２を経由する経路と、映像信号が台形歪み補正部２２を迂回してバイパス回路３１を経由する経路とを選択することができる。従って、映像信号がバイパス回路３１を経由して伝送されることにより、映像信号が台形歪み補正部２２を経由することに起因する映像信号の情報量の減少を抑制することができる。
【００３９】
（２）台形歪み補正処理を映像信号に対して行う必要があるか否かを判断するとともに、その判断結果に基づいて、信号回路１における映像信号の経路として、台形歪み補正部２２を経由する経路またはバイパス回路３１を経由する経路を選択する制御部１９を備えている。このため、台形歪み補正処理を行う必要がある場合には、映像信号の経路として台形歪み補正部２２を経由する経路を選択することにより、映像信号に対して台形歪み補正処理を施すことができる。一方、台形歪み補正処理を行う必要がない場合には、映像信号の経路として台形歪み補正部２２を迂回してバイパス回路３１を経由する経路を選択することにより、映像信号の情報量の減少を抑制することができる。
【００４０】
（３）映像を投写する方向が水平方向に対して傾いていることを検知する傾き検知部１７を備えている。そして、制御部１９は、映像を投写する方向が水平方向に対して傾いていることを傾き検知部１７が検知していないことに基づいて、台形歪み補正処理を映像信号に対して行う必要がないと判断し、信号回路１における映像信号の経路としてバイパス回路３１を経由する経路を選択している。このため、制御部１９は、傾き検知部１７の検知結果に基づいて台形歪み補正処理を映像信号に対して行う必要があるか否かを判断することができるため、傾き検知部１７の検知結果に応じて映像信号の経路を選択することができる。
【００４１】
（４）台形歪み補正処理を映像信号に対して行うことを目的として使用者により操作される操作部１６を備え、制御部１９は、操作部１６が操作されていないことに基づいて、台形歪み補正処理を映像信号に対して行う必要がないと判断し、信号回路１における映像信号の経路としてバイパス回路３１を経由する経路を選択している。このため、制御部１９は、使用者による操作部１６の操作に基づいて台形歪み補正処理を映像信号に対して行う必要があるか否かを判断することができるため、操作部１６の操作に応じて映像信号の経路を選択することができる。
【００４２】
（第２の実施形態）
図４〜図６を参照して、本発明の投写型映像表示装置を液晶プロジェクタとして具体化した第２の実施形態について説明する。図４は、第２の実施形態の液晶プロジェクタの構成をブロック図として示したものである。なお、上記第１の実施形態と同様の部分については同一の符号を付して、その説明を省略する。
【００４３】
本実施形態においては、映像信号が伝送される信号回路１に映像信号の経路を切り替えるための切替器４１，４２が設けられている。この切替器４１，４２は映像信号に台形歪み補正部２２を迂回させるために映像信号の経路を切り替えるスイッチであって、切替器４１は、信号回路１における台形歪み補正部２２の前段に設けられるとともに、切替器４２は、信号回路１における台形歪み補正部２２の後段に設けられている。切替器４１と切替器４２は連動しており、制御部１９により出力される制御信号に応じて切替器４１，４２は映像信号の経路を切り替える。
【００４４】
図５を参照しながら映像信号の経路の選択、即ち切り替えに係る液晶プロジェクタ１０の動作について説明する。
まず、ステップＳ１１と同様に、操作部１６及び傾き検知部１７の少なくとも一方から台形歪み補正を行うための信号が制御部１９に入力されたか否かを判断する（ステップＳ２１）。
【００４５】
制御部１９は、ステップＳ２１において台形歪み補正を行うための信号が入力されたと判断した場合、ステップＳ１２と同様に、台形歪み補正を行わせるための制御信号を台形歪み補正部２２に出力する（ステップＳ２２）。さらに制御部１９は、映像信号処理部２１，２３と台形歪み補正部２２とを接続するための制御信号を切替器４１，４２に出力することにより、映像信号処理部２１，２３と台形歪み補正部２２とを接続するように切替器４１，４２を制御する（ステップＳ２３）。従ってこの場合、第１の映像信号処理部２１は、第１の映像信号処理部２１と台形歪み補正部２２を接続する導体配線を介して映像信号を台形歪み補正部２２に出力する。このようにして、第１の映像信号処理部２１によって信号処理が施された映像信号は台形歪み補正部２２に入力され、映像信号は図６（ａ）に示す経路で液晶ドライバ１２に入力される。即ち、ステップＳ２２，Ｓ２３は、制御部１９が台形歪み補正処理を映像信号に対して行う必要があると判断した場合の液晶プロジェクタ１０の動作であって、この場合、制御部１９は信号回路１における映像信号の経路として台形歪み補正部２２を経由する経路を選択する。
【００４６】
一方、制御部１９は、ステップＳ２１において台形歪み補正を行うための信号が入力されなかったと判断した場合、映像信号処理部２１，２３とバイパス回路３１とを接続するための制御信号を切替器４１，４２に出力することにより、映像信号処理部２１，２３とバイパス回路３１とを接続するように切替器４１，４２を制御する（ステップＳ２４）。従ってこの場合、第１の映像信号処理部２１は、バイパス回路３１を介して映像信号を第２の映像信号処理部２３に出力する。このようにして、第１の映像信号処理部２１によって信号処理が施された映像信号は台形歪み補正部２２を介さずに第２の映像信号処理部２３に入力され、映像信号は図６（ｂ）に示す経路で液晶ドライバ１２に入力される。即ち、ステップＳ２４は、制御部１９が台形歪み補正処理を映像信号に対して行う必要がないと判断した場合の液晶プロジェクタ１０の動作であって、この場合、制御部１９は信号回路１における映像信号の経路としてバイパス回路３１を経由する経路を選択する。
【００４７】
このようにして、制御部１９は、ステップＳ２１における判断結果に基づいて、切替器４１，４２の制御を通じて、映像信号が伝送される信号回路１における映像信号の経路として、台形歪み補正部２２を経由する経路またはバイパス回路３１を経由する経路を選択している。
【００４８】
本実施形態の液晶プロジェクタ１０によれば、上記（１）〜（４）に記載した効果に加えて、以下の効果を奏することができる。
（５）信号回路１における台形歪み補正部２２の前段には、映像信号の経路を切り替えるための切替器４１が設けられ、制御部１９は、切替器４１の制御を通じて、信号回路１における映像信号の経路として、台形歪み補正部２２を経由する経路またはバイパス回路３１を経由する経路を選択している。このため、台形歪み補正部２２の前段において、台形歪み補正部２２を経由する場合とバイパス回路３１を経由する場合の映像信号の経路の一部（即ち第１の映像信号処理部２１から切替器４１までの映像信号の経路）を共通化することができる。
【００４９】
（６）信号回路１における台形歪み補正部２２の後段には、映像信号の経路を切り替えるための切替器４２が設けられ、制御部１９は、切替器４２の制御を通じて、信号回路１における映像信号の経路として、台形歪み補正部２２を経由する経路またはバイパス回路３１を経由する経路を選択している。このため、台形歪み補正部２２の後段において、台形歪み補正部２２を経由する場合とバイパス回路３１を経由する場合の映像信号の経路の一部（即ち切替器４２から第２の映像信号処理部２３までの映像信号の経路）を共通化することができる。
【００５０】
（その他の実施形態）
なお、本発明の実施態様は上記実施形態にて例示したものに限られず、これを例えば以下に示すように変更して実施することもできる。
【００５１】
・上記各実施形態においては、台形歪み補正部２２の前段には第１の映像信号処理部２１が接続されるとともに、台形歪み補正部２２の後段には第２の映像信号処理部２３が接続されていたが、映像信号が台形歪み補正部を迂回するためのバイパス回路を備えるものであれば上記実施形態に準じた態様をもって本発明を適用することはできる。
【００５２】
例えば、図７に示されるように、映像処理ユニット２０が、映像信号処理部２４と、台形歪み補正部２２とにより構成され、映像信号が台形歪み補正部２２を迂回するためのバイパス回路３２が、映像信号処理部２４と液晶ドライバ１２とを接続するものであってもよい。
【００５３】
映像処理ユニット２０を構成する映像信号処理部２４は、上記各実施形態の第１の映像信号処理部２１と同様に、台形歪み補正部２２の前段に接続された映像信号処理回路であって、台形歪み補正処理以外の他の信号処理を映像信号に対して行う。入力端子１１と映像信号処理部２４、映像信号処理部２４と台形歪み補正部２２、及び台形歪み補正部２２と液晶ドライバ１２は、導体配線により電気的に接続されている。このように各部を電気的に接続する導体配線と、映像処理ユニット２０を構成する各部２４，２２は映像信号が伝送される信号回路１を構成している。本実施形態においては、映像処理ユニット２０によって信号処理が施された映像信号として、映像信号処理部２４または台形歪み補正部２２によって信号処理が施された映像信号が液晶ドライバ１２に入力される。なお、本実施形態においても、台形歪み補正部２２が行う信号処理のビット深度は、映像信号処理部２４が行う信号処理のビット深度よりも小さい。
【００５４】
バイパス回路３２は、台形歪み補正部２２を介さずに映像信号処理部２４と液晶ドライバ１２とを電気的に接続する導体配線により構成される回路であって、映像信号はバイパス回路３２を経由することにより、映像信号処理部２４から液晶ドライバ１２に直接入力される。
【００５５】
映像信号の経路の切り替えに係る液晶プロジェクタ１０の動作は、図２に示した第１の実施形態に準じた流れとなる。具体的には、制御部１９は、ステップＳ１１において台形歪み補正を行うための信号が入力されたと判断した場合、映像信号を台形歪み補正部２２に出力させるための制御信号を映像信号処理部２４に出力する。従ってこの場合、映像信号処理部２４は、映像信号を台形歪み補正部２２に出力させるための制御信号に応じて、映像信号処理部２４と台形歪み補正部２２を接続する導体配線を介して映像信号を台形歪み補正部２２に出力する。このようにして、映像信号処理部２４によって信号処理が施された映像信号は台形歪み補正部２２に入力され、映像信号は図８（ａ）に示す経路で液晶ドライバ１２に入力される。
【００５６】
一方、制御部１９は、ステップＳ１１において台形歪み補正を行うための信号が入力されなかったと判断した場合、映像信号を台形歪み補正部２２に出力させないための制御信号を映像信号処理部２４に出力する。従ってこの場合、映像信号処理部２４は、映像信号を台形歪み補正部２２に出力させないための制御信号に応じて、バイパス回路３２を介して映像信号を液晶ドライバ１２に出力する。このようにして、映像信号処理部２４によって信号処理が施された映像信号は、図８（ｂ）に示す経路で液晶ドライバ１２に入力される。
【００５７】
また例えば、図９に示されるように、映像信号処理部２４と、台形歪み補正部２２とにより構成される映像処理ユニット２０を備える場合において、映像信号が伝送される信号回路１に映像信号の経路を切り替えるための切替器４３，４４が設けられていてもよい。
【００５８】
切替器４３，４４は、第２の実施形態において記載した切替器４１，４２と同様に、映像信号に台形歪み補正部２２を迂回させるために映像信号の経路を切り替えるスイッチであって、切替器４３は、信号回路１における台形歪み補正部２２の前段に設けられるとともに、切替器４４は、信号回路１における台形歪み補正部２２の後段に設けられている。切替器４３と切替器４４は連動しており、制御部１９により出力される制御信号に応じて切替器４３，４４は映像信号の経路を切り替える。
【００５９】
映像信号の経路の選択、即ち切り替えに係る液晶プロジェクタ１０の動作は、図５に示した第２の実施形態に準じた流れとなる。具体的には、制御部１９は、ステップＳ２１において台形歪み補正を行うための信号が入力されたと判断した場合、制御信号を切替器４３，４４に出力することにより、映像信号処理部２４と台形歪み補正部２２とを接続するとともに液晶ドライバ１２と台形歪み補正部２２とを接続するように切替器４３，４４を制御する。従ってこの場合、映像信号処理部２４は、映像信号処理部２４と台形歪み補正部２２を接続する導体配線を介して映像信号を台形歪み補正部２２に出力する。このようにして、映像信号処理部２４によって信号処理が施された映像信号は台形歪み補正部２２に入力され、映像信号は図１０（ａ）に示す経路で液晶ドライバ１２に入力される。
【００６０】
一方、制御部１９は、ステップＳ２１において台形歪み補正を行うための信号が入力されなかったと判断した場合、制御信号を切替器４３，４４に出力することにより、映像信号処理部２４とバイパス回路３２とを接続するとともに液晶ドライバ１２とバイパス回路３２とを接続するように切替器４３，４４を制御する。従ってこの場合、映像信号処理部２４は、バイパス回路３２を介して映像信号を液晶ドライバ１２に出力する。このようにして、映像信号処理部２４によって信号処理が施された映像信号は、図１０（ｂ）に示す経路で液晶ドライバ１２に入力される。
【００６１】
・上記実施形態においては、台形歪み補正部２２の前段と後段に切替器が設けられていたが、バイパス回路を構成することができれば、台形歪み補正部２２の前段及び後段のいずれか一方のみに切替器が設けられていてもよい。
【００６２】
・上記各実施形態においては、液晶プロジェクタ１０は操作部１６と傾き検知部１７の双方を備えていたが、操作部１６及び傾き検知部１７のいずれか一方のみを備える構成であってもよい。また操作部１６及び傾き検知部１７を省いてもよく、操作部１６及び傾き検知部１７以外の構成部品から台形歪み補正を行うための信号が制御部１９に入力されてもよい。
【００６３】
・上記各実施形態においては、映像信号に台形歪み補正部２２を迂回させるか否かを判断するとともに、その判断結果に基づき映像信号が伝送される信号回路１における映像信号の経路を切り替える制御部１９を備えていたが、このような制御部が外部機器に設けられていてもよい。
【００６４】
・上記各実施形態においては、本発明を液晶プロジェクタ１０に適用した場合について説明したが、その他の投写型映像表示装置、例えばＤＭＤ（Digital Micromirror Device）を用いて映像を投写して表示するプロジェクタについても上記実施形態に準じた態様をもって本発明を適用することはできる。要するに、映像信号が伝送される信号回路と、映像信号が示す映像を投写して表示するための投写部と、信号回路に接続されるとともに映像の台形歪みを補正する処理を映像信号に対して行う台形歪み補正部とを備える投写型映像表示装置であれば本発明を適用することは可能であり、その場合にも上記実施形態に準じた作用効果を奏することができる。
【図面の簡単な説明】
【００６５】
【図１】本発明の投写型映像表示装置を具体化した第１の実施形態について、同映像表示装置としての液晶プロジェクタの構成を示すブロック図。
【図２】同実施形態の液晶プロジェクタによる映像信号の経路の選択の流れを示すフローチャート。
【図３】（ａ）同実施形態の台形歪み補正部を経由する場合の映像信号の経路を示す回路図。（ｂ）同実施形態のバイパス回路を経由する場合の映像信号の経路を示す回路図。
【図４】本発明の投写型映像表示装置を具体化した第２の実施形態について、同映像表示装置としての液晶プロジェクタの構成を示すブロック図。
【図５】同実施形態の液晶プロジェクタによる映像信号の経路の切り替えの流れを示すフローチャート。
【図６】（ａ）同実施形態の台形歪み補正部を経由する場合の映像信号の経路を示す回路図。（ｂ）同実施形態のバイパス回路を経由する場合の映像信号の経路を示す回路図。
【図７】本発明の投写型映像表示装置を具体化したその他の実施形態について、同映像表示装置としての液晶プロジェクタの構成を示すブロック図。
【図８】（ａ）同実施形態の台形歪み補正部を経由する場合の映像信号の経路を示す回路図。（ｂ）同実施形態のバイパス回路を経由する場合の映像信号の経路を示す回路図。
【図９】本発明の投写型映像表示装置を具体化したその他の実施形態について、同映像表示装置としての液晶プロジェクタの構成を示すブロック図。
【図１０】（ａ）同実施形態の台形歪み補正部を経由する場合の映像信号の経路を示す回路図。（ｂ）同実施形態のバイパス回路を経由する場合の映像信号の経路を示す回路図。
【符号の説明】
【００６６】
１…信号回路、２…投写部、１０…液晶プロジェクタ（投写型映像表示装置）、１１…入力端子、１２…液晶ドライバ、１３…光源、１４…液晶パネル、１５…投写レンズ、１６…操作部、１７…傾き検知部、１８…記憶部、１９…制御部、２０…映像処理ユニット、２１…第１の映像信号処理部、２２…台形歪み補正部、２３…第２の映像信号処理部、２４…映像信号処理部、３１，３２…バイパス回路、４１，４２，４３，４４…切替器、５０…スクリーン。
【図１】
2010050838.tif 000003
【図２】
2010050838.tif 000004
【図３】
2010050838.tif 000005
【図４】
2010050838.tif 000006
【図５】
2010050838.tif 000007
【図６】
2010050838.tif 000008
【図７】
2010050838.tif 000009
【図８】
2010050838.tif 000010
【図９】
2010050838.tif 000011
【図１０】
2010050838.tif 000012